(57)【特許請求の範囲】
【請求項１】
光を出射する第１の光源および第２の光源と、
前記第１の光源および前記第２の光源から出射した光が通る光透過部を備え、四角柱状に形成され、４つの側面を有する四角柱状部と、
四角形に形成され４つの角部を有し、前記第１の光源と前記第２の光源との間に配置され、角部同士を結ぶ１つの対角線の延長線が当該第１の光源および当該第２の光源を通るように設けられ、記録材に画像を形成する画像形成装置に対して操作者が行う操作であって前記四角柱状部を押圧する当該操作を当該四角柱状部を介して受け付ける受け付け部と、
を備え、
４つの前記角部を有する前記受け付け部の角部同士を結ぶ対角線が、前記四角柱状部の前記側面に沿うように、当該受け付け部および当該四角柱状部が設けられている操作装置。
【請求項２】
前記四角柱状部は、筒状に形成され、内部空間を取り囲む４つの側壁を有し、
前記４つの側壁には、互いに対向する関係の一方の側壁および他方の側壁が含まれ、
前記一方の側壁の延長線上に前記第１の光源が位置し、前記他方の側壁の延長線上に前記第２の光源が位置する請求項１に記載の操作装置。
【請求項３】
前記第１の光源と前記第２の光源とを結ぶ線分の中点に相当する箇所に、前記対角線の中点が位置するように、前記受け付け部が設けられていることを特徴とする請求項１又は２に記載の操作装置。
【請求項４】
前記光透過部は、環状に形成されていることを特徴とする請求項１乃至３の何れかに記載の操作装置。
【請求項５】
前記光透過部は、予め定められた箇所を中心として環状に形成され、
前記第１の光源と前記第２の光源とを結ぶ線分の中点に相当する箇所に、前記光透過部の前記中心が位置するように、当該光透過部が設けられていることを特徴とする請求項１乃至４の何れかに記載の操作装置。
【請求項６】
前記光透過部は、環状に且つ矩形状に形成され、４つの辺部を有し、当該４つの辺部のうちの一方向に沿って延びる２つの辺部が、前記対角線に沿うように設けられていることを特徴とする請求項１乃至５の何れかに記載の操作装置。
【請求項７】
前記光透過部は、予め定められた箇所を中心として環状に形成され且つ矩形状に形成され、
前記第１の光源と前記第２の光源とを結ぶ線分の中点に相当する箇所に、前記光透過部の前記中心が位置するように、当該光透過部が設けられていることを特徴とする請求項１乃至６の何れかに記載の操作装置。
【請求項８】
記録材に画像を形成する画像形成手段と、
光を出射する第１の光源および第２の光源と、
前記第１の光源および前記第２の光源から出射した光が通る光透過部を備え、四角柱状に形成され、４つの側面を有する四角柱状部と、
四角形に形成され４つの角部を有し、前記第１の光源と前記第２の光源との間に配置され、角部同士を結ぶ１つの対角線の延長線が当該第１の光源および当該第２の光源を通るように設けられ、操作者が行う操作であって前記四角柱状部を押圧する当該操作を当該四角柱状部を介して受け付ける受け付け部と、
を備え、
４つの前記角部を有する前記受け付け部の角部同士を結ぶ対角線が、前記四角柱状部の前記側面に沿うように、当該受け付け部および当該四角柱状部が設けられている画像形成装置。
【発明の詳細な説明】
【技術分野】
【０００１】
本発明は、操作装置および画像形成装置に関する。
【背景技術】
【０００２】
特許文献１には、押ボタン周囲に位置して枠体に固定された透光体と、この透光体に近接して設けられ、押ボタンが操作可能となったことを報知するとともに、押ボタンの動作にもとづいて消灯する発光素子とを備えたスイッチ装置が開示されている。
【先行技術文献】
【特許文献】
【０００３】
【特許文献１】特開平７−２８８０６２号公報
【発明の概要】
【発明が解決しようとする課題】
【０００４】
画像形成装置では、画像形成装置に対する操作を受け付ける受け付け部が設けられ、さらに、受け付け部の設置位置をより明確にするための光源が設けられることがある。
光源から出射された光は、例えば光透過部を通って外部に漏れ、ユーザは、外部に漏れたこの光により、受け付け部の設置位置をより容易に把握する。
本発明の目的は、画像形成装置に対する操作を受け付ける受け付け部の設置位置を明確にするための光透過部の光量ムラを低減することにある。
【課題を解決するための手段】
【０００５】
請求項１に記載の発明は、光を出射する第１の光源および第２の光源と、前記第１の光源および前記第２の光源から出射した光が通る光透過部を備え、四角柱状に形成され、４つの側面を有する四角柱状部と、四角形に形成され４つの角部を有し、前記第１の光源と前記第２の光源との間に配置され、角部同士を結ぶ１つの対角線の延長線が当該第１の光源および当該第２の光源を通るように設けられ、記録材に画像を形成する画像形成装置に対して操作者が行う操作であって前記四角柱状部を押圧する当該操作を当該四角柱状部を介して受け付ける受け付け部と、を備え、４つの前記角部を有する前記受け付け部の角部同士を結ぶ対角線が、前記四角柱状部の前記側面に沿うように、当該受け付け部および当該四角柱状部が設けられている操作装置である。
請求項２に記載の発明は、前記四角柱状部は、筒状に形成され、内部空間を取り囲む４つの側壁を有し、前記４つの側壁には、互いに対向する関係の一方の側壁および他方の側壁が含まれ、前記一方の側壁の延長線上に前記第１の光源が位置し、前記他方の側壁の延長線上に前記第２の光源が位置する請求項１に記載の操作装置である。
請求項３に記載の発明は、前記第１の光源と前記第２の光源とを結ぶ線分の中点に相当する箇所に、前記対角線の中点が位置するように、前記受け付け部が設けられていることを特徴とする請求項１又は２に記載の操作装置である。
請求項４に記載の発明は、前記光透過部は、環状に形成されていることを特徴とする請求項１乃至３の何れかに記載の操作装置である。
請求項５に記載の発明は、前記光透過部は、予め定められた箇所を中心として環状に形成され、前記第１の光源と前記第２の光源とを結ぶ線分の中点に相当する箇所に、前記光透過部の前記中心が位置するように、当該光透過部が設けられていることを特徴とする請求項１乃至４の何れかに記載の操作装置である。
請求項６に記載の発明は、前記光透過部は、環状に且つ矩形状に形成され、４つの辺部を有し、当該４つの辺部のうちの一方向に沿って延びる２つの辺部が、前記対角線に沿うように設けられていることを特徴とする請求項１乃至５の何れかに記載の操作装置である。
請求項７に記載の発明は、前記光透過部は、予め定められた箇所を中心として環状に形成され且つ矩形状に形成され、前記第１の光源と前記第２の光源とを結ぶ線分の中点に相当する箇所に、前記光透過部の前記中心が位置するように、当該光透過部が設けられていることを特徴とする請求項１乃至６の何れかに記載の操作装置である。
請求項８に記載の発明は、記録材に画像を形成する画像形成手段と、光を出射する第１の光源および第２の光源と、前記第１の光源および前記第２の光源から出射した光が通る光透過部を備え、四角柱状に形成され、４つの側面を有する四角柱状部と、四角形に形成され４つの角部を有し、前記第１の光源と前記第２の光源との間に配置され、角部同士を結ぶ１つの対角線の延長線が当該第１の光源および当該第２の光源を通るように設けられ、操作者が行う操作であって前記四角柱状部を押圧する当該操作を当該四角柱状部を介して受け付ける受け付け部と、を備え、４つの前記角部を有する前記受け付け部の角部同士を結ぶ対角線が、前記四角柱状部の前記側面に沿うように、当該受け付け部および当該四角柱状部が設けられている画像形成装置である。
【発明の効果】
【０００６】
請求項１、２の発明によれば、受け付け部の対角線の延長線が第１の光源および第２の光源を通らない場合に比べ、画像形成装置に対する操作を受け付ける受け付け部の設置位置を明確にするための光透過部の光量ムラを低減できる。
請求項３の発明によれば、第１の光源と第２の光源とを結ぶ線分の中点に相当する箇所に、受け付け部の対角線の中点が位置しておらず、第１の光源および第２の光源の何れか一方の光源に受け付け部が寄っている場合に比べ、光透過部の光量ムラを低減できる。
請求項４の発明によれば、光透過部が環状に形成されていない場合に比べ、画像形成装置に対する操作をユーザが行う際の操作位置を、ユーザに対してより明確に伝えることが可能になる。
請求項５の発明によれば、第１の光源と第２の光源とを結ぶ線分の中点に相当する箇所に、光透過部の中心が位置しておらず、第１の光源および第２の光源の何れか一方の光源に光透過部が寄っている場合に比べ、光透過部の光量ムラを低減できる。
請求項６の発明によれば、一方向に沿って延びる２つの辺部が対角線に対して交差するように光透過部が設けられている場合に比べ、光透過部の光量ムラを低減できる。
請求項７の発明によれば、第１の光源と第２の光源とを結ぶ線分の中点に相当する箇所に光透過部の中心が位置しておらず、第１の光源および第２の光源の何れか一方の光源に光透過部が寄っている場合に比べ、光透過部の光量ムラを低減できる。
請求項８の発明によれば、受け付け部の対角線の延長線が第１の光源および第２の光源を通らない場合に比べ、画像形成装置に対する操作を受け付ける受け付け部の設置位置を明確にするための光透過部の光量ムラを低減できる。
【図面の簡単な説明】
【０００７】
【図１】画像形成装置を示した図である。
【図２】ＵＩ部を説明する図である。
【図３】（Ａ）、（Ｂ）は、ＵＩ部の電源ボタンを説明する図である。
【図４】図２のＩＶ―ＩＶ線における電源ボタンの断面図である。
【図５】図４の矢印Ｖ方向から光透過部材、タクトスイッチ、第１光源、および、第２光源を眺めた場合の図である。
【図６】（Ａ）、（Ｂ）は、第１光源、第２光源から出射された光と、タクトスイッチとの関係を示した図である。
【図７】本実施形態の他の構成例を示している。
【発明を実施するための形態】
【０００８】
以下、添付図面を参照して、本発明の実施の形態について詳細に説明する。
図１は、本実施形態に係る画像形成装置１を示した図である。
本実施形態の画像形成装置１には、装置本体１０、記録材である用紙を収容する用紙収容部２０が設けられている。また、図示は省略するが、装置本体１０の内部には、用紙に対して画像を形成する画像形成手段の一例としての画像形成機構が設けられている。
画像形成機構は、感光体ドラムを有し、いわゆる電子写真方式を用い、用紙への画像形成を行う。なお、画像の形成方式は、電子写真方式に限らず、インクジェット方式など、他の方式を用いてもよい。
【０００９】
装置本体１０の上部には、画像が形成された用紙が排出される用紙排出部３０が設けられている。また、装置本体１０の上部には、ユーザにより操作される操作装置として機能するユーザインタフェース部１００（以下、「ＵＩ部１００」と称する）が設けられている。このＵＩ部１００は、情報の表示を行い、また、ユーザからの操作を受け付ける。
【００１０】
図２は、ＵＩ部１００を説明する図である。
操作装置として機能するＵＩ部１００には、箱状の筐体１１０が設けられている。
また、ＵＩ部１００には、筐体１１０により支持された表示パネル１２０が設けられている。さらに、ＵＩ部１００には、電源ボタン２００が設けられている。
【００１１】
表示パネル１２０は、タッチパネル方式のパネルにより構成されている。ＵＩ部１００は、この表示パネル１２０を用いて情報の表示を行う。また、ＵＩ部１００は、この表示パネル１２０を介し、ユーザからの操作を受け付ける。
【００１２】
図３（Ａ）、（Ｂ）は、ＵＩ部１００の電源ボタン２００を説明する図である。
なお、図３（Ａ）は、図２のＩＩＩＡ−ＩＩＩＡ線における電源ボタン２００の断面図であり、図３（Ｂ）は、電源ボタン２００の正面図である。
図３（Ａ）に示すように、電源ボタン２００には、光源（後述）からの光を透過させる光透過部材２１０が設けられている。光透過部材２１０は、黒色に形成されるとともに透明の樹脂材料により構成されている。
【００１３】
さらに、光透過部材２１０は、四角柱状に形成され、図３（Ｂ）に示すように、左側側壁２１１Ｌ、右側側壁２１１Ｒ、上側側壁２１１Ｕ、下側側壁２１１Ｂの４つの側壁２１１を有している。なお、図３（Ａ）では、左側側壁２１１Ｌ、右側側壁２１１Ｒのみを表示している。
【００１４】
また、光透過部材２１０は、四角筒状に形成され、一方の端部には、開口が設けられている。そして、本実施形態では、図３（Ａ）に示すように、この開口を塞ぐ塞ぎ部２１２が設けられている。
塞ぎ部２１２は、ＵＩ部１００（図２参照）の表面に位置しており、電源ボタン２００がユーザにより押圧される際には、この塞ぎ部２１２がユーザにより押圧される。より具体的には、図３（Ａ）の矢印３Ａに示すように、ＵＩ部１００の内部方向に向けて塞ぎ部２１２が押圧される。
【００１５】
図３（Ａ）に示すように、塞ぎ部２１２の表面には且つ塞ぎ部２１２の径方向における中央部側には、黒色且つ矩形状の印刷が施され、塞ぎ部２１２の中央部側は、光を通さないようになっている。また、この印刷が施された箇所には、図２に示すように、電源ボタンを示すマークＭＫも印刷されている。なお、図３（Ｂ）では、マークＭＫの図示は省略している。
【００１６】
さらに、図３（Ａ）、（Ｂ）に示すように、塞ぎ部２１２の外周縁には、光源（後述）からの光を通す光透過部２３０が設けられている。
光透過部２３０は、図３（Ｂ）にて符号３Ｂで示す、予め定められた箇所（以下、「配置中心３Ｂ」と称する）を中心として、環状に形成されている。
より具体的には、光透過部２３０は、配置中心３Ｂを中心として環状に形成され、且つ、矩形状（長方形状）に形成されている。
【００１７】
光透過部２３０は、矩形状に形成され、これにより、図３（Ｂ）に示すように、左側辺部２４０Ｌ、右側辺部２４０Ｒ、上側辺部２４０Ｕ、下側辺部２４０Ｂの４つの辺部２４０を有する。さらに、光透過部２３０は、左上角部２５０ＬＵ、右上角部２５０ＲＵ、左下角部２５０ＬＢ、右下角部２５０ＲＢの４つの角部２５０を有する。
【００１８】
ここで、上側辺部２４０Ｕ、下側辺部２４０Ｂは、互いに平行に形成され、一方向に沿って延びるように形成されている。具体的には、ＵＩ部１００（図２参照）の幅方向に沿って延びるように形成されている。
左側辺部２４０Ｌ、右側辺部２４０Ｒも、互いに平行に形成されている。左側辺部２４０Ｌ、右側辺部２４０Ｒは、上記一方向と直交する方向に沿って延びるように形成されている。付言すると、ＵＩ部１００の高さ方向に沿って延びるように形成されている。
【００１９】
図４は、図２のＩＶ―ＩＶ線における電源ボタン２００の断面図である。なお、この図４では、図３よりも詳細な構造を示している。
図４に示すように、光透過部材２１０の下方には、タクトスイッチ（電源スイッチ）２６０が設けられている。タクトスイッチ２６０は、受け付け部として機能し、ユーザが行う電源のオン／オフの操作を受け付ける。
【００２０】
より具体的には、本実施形態では、ユーザが行う電源のオン／オフの操作は、ユーザが光透過部材２１０を押圧することにより行われるが、タクトスイッチ２６０は、光透過部材２１０を介し、このオン／オフの操作を受け付ける。
なお、上記では説明を省略したが、図４に示すように、光透過部材２１０の塞ぎ部２１２の内面には、タクトスイッチ２６０に向かう突起２１７が設けられており、タクトスイッチ２６０は、この突起２１７により押圧される。
【００２１】
また、本実施形態では、図４に示すように、タクトスイッチ２６０の両脇に、光を出射する第１光源８１、第２光源８２の２つの光源が設けられている。この第１光源８１、第２光源８２は、ＬＥＤ（Light Emitting Diode）により形成されている。
本実施形態では、第１光源８１と第２光源８２との間に、タクトスイッチ２６０が設けられている。また、タクトスイッチ２６０、第１光源８１、第２光源８２の下方には、これらを支持する基板８５が設けられている。
【００２２】
第１光源８１および第２光源８２から光が出射されると、出射された光は、筒状に形成された光透過部材２１０の内部を通って、環状且つ矩形状に形成された光透過部２３０に向かう。
また、本実施形態では、左側側壁２１１Ｌの下方に（延長線上に）、第１光源８１が設けられ、右側側壁２１１Ｒの下方に（延長線上に）、第２光源８２が設けられている。
このため、第１光源８１、第２光源８２から出射された光の一部は、矢印４Ａに示すように左側側壁２１１Ｌ、右側側壁２１１Ｒに向かい、左側側壁２１１Ｌ、右側側壁２１１Ｒの内部を通って、光透過部２３０に向かう。
【００２３】
光透過部２３０に達した光は、光透過部２３０を通じて、ＵＩ部１００の外部に漏れる。これにより、電源ボタン２００の外周縁が光るようになり、電源ボタン２００の設置位置をユーザがより認識しやすくなる。
【００２４】
図５は、図４の矢印Ｖ方向から光透過部材２１０、タクトスイッチ２６０、第１光源８１、および、第２光源８２を眺めた場合の図である。
上記では説明を省略したが、本実施形態では、光透過部材２１０の周囲に、この光透過部材２１０を支持する支持部材９０が設けられている。支持部材９０は、環状に形成され光透過部材２１０の周囲に配置された支持部材本体９１と、この支持部材本体９１と光透過部材２１０とを接続する２つの弾性片９２とから構成されている。
【００２５】
ユーザにより光透過部材２１０が押圧されると、光透過部材２１０は、ＵＩ部１００の内部に向かって移動する。このとき、弾性片９２が弾性変形する。
そして、ユーザによるこの押圧が解除されると、弾性片９２が復元する。これにより、光透過部材２１０が元の状態に復帰する。
【００２６】
ここで、本実施形態では、上記の通り、また、図５に示すように、左側側壁２１１Ｌの下方に第１光源８１が位置し、右側側壁２１１Ｒの下方に第２光源８２が位置する。
また、本実施形態では、光透過部２３０の左側辺部２４０Ｌの下方に、第１光源８１が位置し、光透過部２３０の右側辺部２４０Ｒの下方に、第２光源８２が位置する。
【００２７】
また、図５に示すように、光透過部材２１０が設置されている側からタクトスイッチ２６０を眺めた場合において、タクトスイッチ２６０は、四角形（正方形）に形成され、４つのスイッチ角部２６１を有する。さらに、タクトスイッチ２６０は、左上側壁２６２Ａ、右上側壁２６２Ｂ、左下側壁２６２Ｃ、右下側壁２６２Ｄの４つの側壁２６２を有する。
【００２８】
さらに、本実施形態では、タクトスイッチ２６０は、第１光源８１と第２光源８２との間に配置されている。また、タクトスイッチ２６０は、対角位置にある２つのスイッチ角部２６１同士を結ぶ１つの対角線２６４Ａの延長線２６４Ｂが、第１光源８１および第２光源８２を通るように設けられている。
【００２９】
また、本実施形態では、図４に示すように、第１光源８１と第２光源８２とを結ぶ線分ＳＢの中点（以下、「光源中点」と称する）に相当する箇所に、対角線２６４Ａの中点（以下、「スイッチ中点」と称する）が位置するように、タクトスイッチ２６０が設けられている。
【００３０】
より具体的には、本実施形態では、ユーザが光透過部材２１０を押圧する際の押圧方向（図中、矢印４Ｂ参照）に向けて、且つ、この押圧方向に直交する投影面（仮想面）４Ｃに向けて、光源中点、スイッチ中点を投影した場合に、光源中点とスイッチ中点とが一致する。
【００３１】
さらに、本実施形態では、図３（Ｂ）にて示した通り、光透過部２３０は、配置中心３Ｂを中心として環状に形成されているが、本実施形態では、第１光源８１と第２光源８２とを結ぶ線分ＳＢの中点（光源中点）（図４参照）に相当する箇所に、光透過部２３０の配置中心３Ｂが位置している。
より具体的には、ユーザが光透過部材２１０を押圧する際の押圧方向に向けて（図４にて矢印４Ｂに示す方向に向けて）、且つ、投影面４Ｃに向けて、光源中点、配置中心３Ｂを投影した場合に、光源中点と、配置中心３Ｂとが一致する。
【００３２】
さらに、本実施形態では、光透過部２３０に設けられた上側辺部２４０Ｕ（図３（Ｂ）参照）、下側辺部２４０Ｂが、タクトスイッチ２６０の対角線２６４Ａ（図５参照）に沿うように、光透過部２３０、タクトスイッチ２６０が設けられている。
付言すると、本実施形態では、光透過部２３０が有する４つの辺部２４０のうち、互いに平行に配置され同じ方向に向かって延びる上側辺部２４０Ｕ、下側辺部２４０Ｂが、タクトスイッチ２６０の対角線２６４Ａに沿うように、光透過部２３０、タクトスイッチ２６０が設けられている。
【００３３】
図６（Ａ）、（Ｂ）は、第１光源８１、第２光源８２から出射された光と、タクトスイッチ２６０との関係を示した図である。
本実施形態の構成では、上記のように、また、図６（Ａ）に示すように、タクトスイッチ２６０の対角線２６４Ａの延長線２６４Ｂが、第１光源８１および第２光源８２を通る。
【００３４】
これにより、図６（Ａ）の符号６Ａで示すように、第１光源８１、第２光源８２から出射された光は、タクトスイッチ２６０の脇を通り、上側辺部２４０Ｕの長手方向における中央部、下側辺部２４０Ｂの長手方向における中央部に向かう。
また、図６（Ａ）の符号６Ｂで示すように、第１光源８１、第２光源８２から出射された光は、光透過部２３０の４つの角部２５０に向かう。
【００３５】
図６（Ｂ）は、電源ボタン２００の比較例を示した図である。
この比較例では、タクトスイッチ２６０の対角線２６４Ａの延長線２６４Ｂ上に、第１光源８１、第２光源８２が位置せず、対角線２６４Ａと、第１光源８１と第２光源８２とを結ぶ線分（図６（Ｂ）では不図示）が交差する。付言すると、この比較例では、第１光源８１と第２光源８２とを結ぶ線分に対して、タクトスイッチ２６０の２つの側壁２６２が沿うように、タクトスイッチ２６０が設けられている。
【００３６】
比較例では、第１光源８１、第２光源８２から出射された光の一部が、タクトスイッチ２６０により遮られ、第１光源８１、第２光源８２から出射された光が、上側辺部２４０Ｕの中央部、下側辺部２４０Ｂの中央部に届きにくくなる。かかる場合、この中央部が暗くなり、光透過部２３０に光量ムラが生じやすくなる。
これに対し、本実施形態では、第１光源８１、第２光源８２から出射された光が、タクトスイッチ２６０により遮られることが抑制され、比較例に比べ、光透過部２３０の光量ムラが低減される。
【００３７】
図７は、本実施形態の他の構成例を示している。
この構成例では、上記と同様、対角線２６４Ａの延長線２６４Ｂが、第１光源８１および第２光源８２を通る。
その一方で、この構成例では、光透過部２３０の左下角部２５０ＬＢの下方に第１光源８１が配置され、また、光透過部２３０の右上角部２５０ＲＵの下方に第２光源８２が配置されている。
【００３８】
さらに、タクトスイッチ２６０については、光透過部２３０の各辺部２４０に対して、タクトスイッチ２６０の側壁２６２が沿うように設けられている。
付言すると、図５にて示した実施形態では、光透過部２３０が有する４つの辺部２４０のうちの、２つの辺部２４０（上側辺部２４０Ｕ、下側辺部２４０Ｂ）が、対角線２６４Ａに沿っているが、図７にて示すこの実施形態では、光透過部２３０が有する各辺部２４０と、対角線２６４Ａとが交差する関係となっている。
【００３９】
ここで、図７にて示すこの実施形態では、上記と同様、第１光源８１、第２光源８２からの光がタクトスイッチ２６０の脇を通るようになり、第１光源８１、第２光源８２からの光がタクトスイッチ２６０により遮られることが抑制される。
【００４０】
その一方で、図７にて示すこの実施形態では、第１光源８１、第２光源８２と、光透過部２３０の各部位との離間距離が、図５にて示した上記実施形態よりも大きくなる。
より具体的には、第１光源８１、第２光源８２と、光透過部２３０の各部位との離間距離のうちの、最も値が大きくなる離間距離（最大離間距離）が、図７にて示す実施形態と、図５にて示した実施形態とで異なり、図７にて示す実施形態における最大離間距離の方が、図５にて示した実施形態における最大離間距離よりも大きくなる。
【００４１】
ここで、図５にて示した実施形態では、最大離間距離は、図５にて符号Ｌ１で示す距離Ｌ１となる。具体的には、最大離間距離は、第１光源８１、第２光源８２と、上側辺部２４０Ｕの長手方向における中央部との間の離間距離、第１光源８１、第２光源８２と、下側辺部２４０Ｂの長手方向における中央部との間の離間距離となる。
【００４２】
一方で、図７にて示した実施形態では、最大離間距離は、図７にて符号Ｌ２で示す距離Ｌ２となる。具体的には、最大離間距離は、第１光源８１、第２光源８２と、左上角部２５０ＬＵとの間の離間距離、また、第１光源８１、第２光源８２と、右下角部２５０ＲＢとの間の離間距離となる。
【００４３】
ここで、図７にて示す実施形態では、図５にて示した実施形態よりも最大離間距離が大きくなる。具体的には、図５にて示した実施形態では、最大離間距離は距離Ｌ１となるが、図７にて示す実施形態では、最大離間距離は、この距離Ｌ１よりも大きい距離Ｌ２となる。
【００４４】
この結果、図７にて示す実施形態では、図５にて示した実施形態に比べ、左上角部２５０ＬＵ、右下角部２５０ＲＢにおける光量が低下する。
これに対して、図５にて示した実施形態では、上側辺部２４０Ｕの中央部、下側辺部２４０Ｂの中央部にて光量の低下が生じやすくなるが、光量の低下の度合いは、図７にて示した実施形態に比べ小さくなる。
【００４５】
次に、光透過部２３０の配置中心３Ｂ（図３（Ｂ）参照）と、光源中点との関係を説明する。
本実施形態では、光透過部２３０の配置中心３Ｂと、第１光源８１と第２光源８２とを結ぶ線分ＳＢの中点（光源中点）（図４参照）とが一致しており、これによっても光量ムラが起きにくくなっている。
ここで、例えば、光透過部２３０の配置中心３Ｂと、光源中点とが一致しておらず、光透過部２３０の配置中心３Ｂが、第１光源８１および第２光源８２の何れかの光源側に寄っていると、寄っていない場合に比べ、光透過部２３０に光量ムラが生じやすくなる。
【符号の説明】
【００４６】
１…画像形成装置、３Ｂ…配置中心、８１…第１光源、８２…第２光源、１００…ＵＩ部、２１０…光透過部材、２３０…光透過部、２４０…辺部、２４０Ｂ…下側辺部、２４０Ｌ…左側辺部、２４０Ｒ…右側辺部、２４０Ｕ…上側辺部、２６０…タクトスイッチ、２６１…スイッチ角部、２６４Ａ…対角線、２６４Ｂ…延長線
【図１】
0006645053.tif 000002
【図２】
0006645053.tif 000003
【図３】
0006645053.tif 000004
【図４】
0006645053.tif 000005
【図５】
0006645053.tif 000006
【図６】
0006645053.tif 000007
【図７】
0006645053.tif 000008